(57)【特許請求の範囲】
【請求項１】
（ａ）バッテリーリード線を含むバッテリー支持部と、
（ｂ）バッテリークロージャを形成するために前記バッテリー支持部に装着された対向側バッテリー支持部と、
（ｃ）１つまたは複数のバッテリーと、
（ｄ）バッテリーバルクヘッドと、
（ｅ）第１のバッテリーバルクヘッド接合部材と、
（ｆ）第２のバッテリーバルクヘッド接合部材と、
を備え、
前記１つまたは複数のバッテリーは、前記対向側バッテリー支持部に固定され、前記１つまたは複数のバッテリーは、前記バッテリーリード線を経由してデバイスに電気を送り、前記バッテリークロージャから前記対向側バッテリー支持部を取り外すことにより、前記バッテリーリード線が切断され、前記バッテリーリード線を経由する前記１つまたは複数のバッテリーから前記デバイスへの送電が無効化され、
前記第１のバッテリーバルクヘッド接合部材は、前記バッテリー支持部に前記バッテリーバルクヘッドを装着し、前記第２のバッテリーバルクヘッド接合部材は、前記対向側バッテリー支持部に前記バッテリーバルクヘッドを装着し、
前記バッテリー支持部により、第１の位置または第２の位置のいずれかにおいて一度結合された前記バッテリークロージャからの前記対向側バッテリー支持部の機械的解放が可能となり、
前記バッテリーバルクヘッドは、前記対向側バッテリー支持部が前記第１の位置にある場合には、前記第１のバッテリーバルクヘッド接合部材により前記バッテリー支持部に係合された状態に留まり、前記バッテリーバルクヘッドは、前記対向側バッテリー支持部が前記第２の位置にある場合には、前記第２のバッテリーバルクヘッド接合部材内に保持され、前記第１のバッテリーバルクヘッド接合部材からは解放され、
前記第２の位置において、前記１つまたは複数のバッテリーが、前記デバイスに前記電気を送る、物品。
【請求項２】
ユーザが、前記デバイスとは別個に、前記１つまたは複数のバッテリーとともに前記対向側バッテリー支持部を処分することが可能である、請求項１に記載の物品。
【請求項３】
前記バッテリークロージャは、前記バッテリーリード線が無効化された場合に、前記１つまたは複数のバッテリーの交換を不可能にし、前記バッテリークロージャから前記対向側バッテリー支持部を取り外すことが前記バッテリーリード線を無効化する、請求項１または２に記載の物品。
【請求項４】
前記バッテリーリード線の第１のセクションが、前記バッテリー支持部に装着され、かつ、前記バッテリーリード線の第２のセクションが、前記バッテリーバルクヘッドに装着される、請求項１から３のいずれか一項に記載の物品。
【請求項５】
前記第２の位置から前記第１の位置への前記対向側バッテリー支持部の移動を防止する返しをさらに備える、請求項１から４のいずれか一項に記載の物品。
【請求項６】
（ａ）バッテリーリード線を含むバッテリー支持部と、
（ｂ）バッテリークロージャを形成するために前記バッテリー支持部に装着された対向側バッテリー支持部と、
（ｃ）１つまたは複数のバッテリーと、
（ｄ）バッテリーバルクヘッドと、
（ｅ）第１のバッテリーバルクヘッド接合部材と、
（ｆ）第２のバッテリーバルクヘッド接合部材と、
を備え、
前記１つまたは複数のバッテリーは、前記対向側バッテリー支持部に固定され、前記１つまたは複数のバッテリーは、前記バッテリーリード線を経由してデバイスに電気を送り、前記バッテリークロージャから前記対向側バッテリー支持部を取り外すことにより、前記バッテリーリード線が切断され、前記バッテリーリード線を経由する前記１つまたは複数のバッテリーから前記デバイスへの送電が無効化され、
前記第１のバッテリーバルクヘッド接合部材は、前記バッテリー支持部に前記バッテリーバルクヘッドを装着し、前記第２のバッテリーバルクヘッド接合部材は、前記対向側バッテリー支持部に前記バッテリーバルクヘッドを装着し、
前記バッテリーリード線は、前記バッテリー支持部に装着された第１のセクションと、前記バッテリーバルクヘッドに装着された第２のセクションと、前記第１のセクションと前記第２のセクションとの間の中間セクションと、を有し、前記中間セクションははんだ接合部を含み、前記はんだ接合部は、ユーザが、前記バッテリークロージャから前記対向側バッテリー支持部を取り外した場合に、破断することにより、前記バッテリーリード線を切断する、物品。
【請求項７】
前記バッテリークロージャは、少なくとも１つの作動タブを含む、請求項１から６のいずれか一項に記載の物品。
【請求項８】
前記バッテリークロージャは、前記デバイスの外部に位置する、請求項１から７のいずれか一項に記載の物品。
【請求項９】
ユーザが、第１の位置から第２の位置に前記対向側バッテリー支持部を移動させることにより、前記１つまたは複数のバッテリーから前記デバイスに電気を送るために、前記１つまたは複数のバッテリーおよび前記バッテリーリード線を係合させる、請求項１から８のいずれか一項に記載の物品。
【請求項１０】
前記対向側バッテリー支持部は、少なくとも１つのアームをさらに含む、請求項１から９のいずれか一項に記載の物品。
【請求項１１】
使い捨て医療デバイスであって、
（ａ）ハウジングと、
（ｂ）前記ハウジング内の電動要素と、
（ｃ）バッテリーリード線を含むバッテリー支持部と、
（ｄ）バッテリークロージャを形成するために前記バッテリー支持部に装着された対向側バッテリー支持部と、
（ｅ）１つまたは複数のバッテリーと、
（ｆ）バッテリーバルクヘッドと、
（ｇ）第１のバッテリーバルクヘッド接合部材と、
（ｈ）第２のバッテリーバルクヘッド接合部材と、
を備え、
前記第１のバッテリーバルクヘッド接合部材は、前記バッテリー支持部に前記バッテリーバルクヘッドを装着し、前記第２のバッテリーバルクヘッド接合部材は、前記対向側バッテリー支持部に前記バッテリーバルクヘッドを装着し、
前記バッテリー支持部により、第１の位置または第２の位置のいずれかにおいて一度結合された前記バッテリークロージャからの前記対向側バッテリー支持部の機械的解放が可能となり、
前記バッテリーバルクヘッドは、前記対向側バッテリー支持部が前記第１の位置にある場合には、前記第１のバッテリーバルクヘッド接合部材により前記バッテリー支持部に係合された状態に留まり、
前記バッテリーバルクヘッドは、前記対向側バッテリー支持部が前記第２の位置にある場合には、前記第２のバッテリーバルクヘッド接合部材内に保持され、前記第１のバッテリーバルクヘッド接合部材からは解放され、
前記バッテリーリード線の第１のセクションが、前記バッテリー支持部に装着され、前記バッテリーリード線の第２のセクションが、前記バッテリーバルクヘッドに装着され、前記第１のセクションと前記第２のセクションとの間の前記バッテリーリード線の中間セクションがはんだ接合部を含み、前記はんだ接合部は、ユーザが、前記バッテリークロージャから前記対向側バッテリー支持部を取り外した場合に、破断することにより、前記バッテリーリード線を無効化および切断する、使い捨て医療デバイス。
【請求項１２】
前記対向側バッテリー支持部は、少なくとも１つのピンを有する少なくとも１つのアームをさらに含み、前記バッテリー支持部は、前記少なくとも１つのピン用の少なくとも１つのトラックを有する少なくとも１つの側壁部をさらに含み、前記トラックは、ユーザが前記バッテリー支持部上に前記対向側バッテリー支持部を設置する場合に、前記ピンに係合し、前記少なくとも１つのアームは、ユーザが前記第１の位置から前記第２の位置に前記対向側バッテリー支持部を移動させた場合に、前記バッテリーバルクヘッド中のアンダーカット内に係合することにより、前記対向側バッテリー支持部に前記バッテリーバルクヘッドを結合する、請求項１１に記載の使い捨て医療デバイス。
【請求項１３】
前記少なくとも１つのトラックは、前記少なくとも１つのピンに係合することにより、前記第２の位置から前記第１の位置への前記対向側バッテリー支持部の移動を防止する、少なくとも１つの返しを含む、請求項１２に記載の使い捨て医療デバイス。
【請求項１４】
前記対向側バッテリー支持部が、少なくとも１つのアームを含み、前記少なくとも１つのアームが、前記バッテリーバルクヘッドに係合することにより、前記第２の位置から前記第１の位置への前記対向側バッテリー支持部の移動を防止する、少なくとも１つの返しを含む、請求項１１に記載の使い捨て医療デバイス。
【請求項１５】
（ａ）バッテリーリード線を含むバッテリー支持部と、
（ｂ）バッテリークロージャを形成するために前記バッテリー支持部に装着された対向側バッテリー支持部と、
（ｃ）１つまたは複数のバッテリーと、
（ｄ）バッテリーバルクヘッドと、
（ｅ）第１のバッテリーバルクヘッド接合部材と、
（ｆ）第２のバッテリーバルクヘッド接合部材と、
を備え、
前記１つまたは複数のバッテリーは、前記対向側バッテリー支持部に固定され、前記１つまたは複数のバッテリーは、前記バッテリーリード線を経由してデバイスに電気を送り、前記バッテリークロージャから前記対向側バッテリー支持部を取り外すことにより、前記バッテリーリード線が切断され、前記バッテリーリード線を経由する前記１つまたは複数のバッテリーから前記デバイスへの送電が無効化され、
前記第１のバッテリーバルクヘッド接合部材は、前記バッテリー支持部に前記バッテリーバルクヘッドを装着し、前記第２のバッテリーバルクヘッド接合部材は、前記対向側バッテリー支持部に前記バッテリーバルクヘッドを装着し、
前記バッテリーバルクヘッドは、刃をさらに含み、前記刃は、ユーザが前記対向側バッテリー支持部を取り外す場合に、前記バッテリーリード線を切断する、物品。
【発明の詳細な説明】
【技術分野】
【０００１】
本発明は、概して、デバイス用の電源に関し、より詳細には、使い捨てデバイスのモータにエネルギーを供給するバッテリークロージャに関する。
【背景技術】
【０００２】
使い捨てデバイスにエネルギーを供給する様々な種類のバッテリークロージャが知られており、例としては、特許文献1、特許文献2、特許文献3、または特許文献4が挙げられる。これらはいずれも、事実上、参照により、その全体が本明細書に明確に組み込まれる。使い捨てデバイスを作製する場合に、製造業者は、使い捨てデバイスが確実に再使用されないようにしたいと考える場合がある。これは、強制的なただ一回の使用が患者の安全の一助となる医療使い捨てデバイスに関しては、特に不可欠となる。様々な機構によりデバイスのユーザ有用性を制限する使い捨てデバイスが、当技術において知られている。問題は、かかるデバイスが、新たなバッテリーの挿入または既存のバッテリーの再充電を防止せず、したがって、ただ一回の使用後に処分されるべきである使い捨てデバイスの再使用が可能となってしまう点である。
【０００３】
さらに、使い捨てデバイスのユーザは、デバイスに電力供給するバッテリーとともに廃棄する必要のない、したがって環境的安全性の一助となる、使い捨てデバイスの処分を欲する場合がある。かかる使い捨て医療デバイスのユーザは、特に、使い捨てデバイスが、医療有害廃棄物または生物学的有害廃棄物として処分されなければならない医療デバイスである一方で、バッテリーが、再利用されてもよい場合には、そのような傾向になり得る。問題は、既知の使い捨てデバイスの多くが、バッテリー回路の無効化が可能ではなく、ユーザによるバッテリーの取外しも可能でない点である。したがって、使い捨て医療器具は、それに含まれるバッテリーとともに廃棄されなければならず、これは、環境的課題をもたらし、バッテリーの特殊な処分を必要とする施設におけるこの器具の使用の妨げとなる。
【先行技術文献】
【特許文献】
【０００４】
【特許文献１】米国特許第5,112,299号明細書
【特許文献２】米国特許第5,814,044号明細書
【特許文献３】米国特許第7,879,032号明細書
【特許文献４】米国特許出願第2004/0092992号明細書
【発明の概要】
【発明が解決しようとする課題】
【０００５】
したがって、使い捨てデバイスの使用後にモータへのエネルギー供給を防止することにより使い捨てデバイスのただ一回の使用を強制する、および使い捨てデバイスがバッテリーとは別個に処分され得るようにバッテリークロージャからのバッテリーの取外しを可能にする、使い捨てデバイスのモータにエネルギー供給するバッテリークロージャが必要である。
【課題を解決するための手段】
【０００６】
(a)バッテリーリード線を含むバッテリー支持部と、(b)バッテリークロージャを形成するためにバッテリー支持部に装着された対向側バッテリー支持部と、(c)1つまたは複数のバッテリーとを備え、バッテリーが、対向側バッテリー支持部に固定され、バッテリーが、デバイスにエネルギーを供給し、バッテリークロージャから対向側バッテリー支持部を取り外すことにより、バッテリーリード線を経由するバッテリーからデバイスへの送電が無効化される、物品。
【０００７】
別の実施形態は、(a)1つまたは複数の端子に装着されたバッテリーリード線を含むバッテリー支持部と、(b)バッテリークロージャを形成するためにバッテリー支持部に装着されることとなる対向側バッテリー支持部であって、対向側バッテリー支持部が、第1の位置および第2の位置を有し、端子とバッテリー接触子との間の距離が、第1の位置においては第2の位置においてよりも大きい、対向側バッテリー支持部と、(c)対向側バッテリー支持部内に1つまたは複数のバッテリー接触子を有する1つまたは複数のバッテリーと、(d)1つまたは複数の作動タブとを備え、端子が、1つまたは複数のばね式部材に装着され、1つまたは複数の作動タブが、端子とバッテリー接触子との間に設けられ、ばね式部材が、1つまたは複数の端子と1つまたは複数のバッテリー接触子との間に1つまたは複数の作動タブを保持することにより、第1の位置および第2の位置の両方において作動タブを定位置に維持する、物品を含む。
【０００８】
別の実施形態は、使い捨て医療デバイスであって、(a)ハウジングと、(b)ハウジング内の電動要素と、(c)バッテリーリード線を含むバッテリー支持部と、(d)バッテリークロージャを形成するためにバッテリー支持部に装着された対向側バッテリー支持部と、(e)1つまたは複数のバッテリーと、(f)バッテリーバルクヘッドと、(g)第1のバッテリーバルクヘッド接合部材と、(h)第2のバッテリーバルクヘッド接合部材とを備え、第1のバッテリーバルクヘッド接合部材が、バッテリー支持部にバッテリーバルクヘッドを装着し、第2のバッテリーバルクヘッド接合部材が、対向側バッテリー支持部にバッテリーバルクヘッドを装着し、バッテリー支持部により、第1の位置または第2の位置のいずれかにおいて一度結合されたバッテリークロージャからの対向側バッテリー支持部の機械的解放が可能となり、バッテリーバルクヘッドが、対向側バッテリー支持部が第1の位置にある場合には、第1のバッテリーバルクヘッド接合部材によりバッテリー支持部に係合された状態に留まり、バッテリーバルクヘッドが、対向側バッテリー支持部が第2の位置にある場合には、第2のバッテリーバルクヘッド接合部材内に保持され、第1のバッテリーバルクヘッド接合部材からは解放され、バッテリーリード線の第1のセクションが、バッテリー支持部に装着され、バッテリーリード線の第2のセクションが、バルクヘッドに装着され、第1のセクションと第2のセクションとの間のバッテリーリード線の中間セクションが、はんだ接合部を含み、このはんだ接合部が、ユーザがバッテリークロージャから対向側バッテリー支持部を取り外した場合に、破断することにより、バッテリーリード線を無効化および切断する、使い捨て医療デバイスを含む。
【０００９】
好ましくは、ユーザが、デバイスとは別個に、1つまたは複数のバッテリーとともに対向側バッテリー支持部を処分することが可能である。好ましくは、バッテリークロージャは、対向側バッテリー支持部が取り外された後の電気再接続を不可能にする。好ましくは、物品は、使い捨て医療デバイスであるデバイスをさらに備える。好ましくは、バッテリーリード線の第1のセクションが、バッテリー支持部に装着される。好ましくは、物品は、バッテリーバルクヘッドと、第1のバッテリーバルクヘッド接合部材と、第2のバッテリーバルクヘッド接合部材とをさらに備え、第1のバッテリーバルクヘッド接合部材は、バッテリー支持部にバッテリーバルクヘッドを装着し、第2のバッテリーバルクヘッド接合部材は、対向側バッテリー支持部にバッテリーバルクヘッドを装着する。
【００１０】
本開示は、バッテリークロージャ内のバッテリーの交換を不可能にし、したがって、デバイスのただ一回の使用を強制し、医療用使い捨てデバイスの場合には患者の安全性および無菌状態の確保を強化する、バッテリークロージャと、デバイスにエネルギーを供給するバッテリークロージャを使用する方法とを提供する。本発明のこの利点は、ユーザがバッテリーを交換しようと試みる場合に、バッテリーリード線を無効化する機構を備えることにより実現される。さらなる利点は、ユーザが、デバイスとは別個にバッテリーを廃棄することを欲する場合に、バッテリーリード線を無効化する機構が、使用される点である。なぜならば、バッテリーリード線を無効化するこの機構は、リード線を切断することが可能であり、切断されたバッテリーリード線およびしっかりと装着されたバッテリーを含むバッテリーカバーのユーザによる取外しを可能にするため、したがって、バッテリーが、デバイスとは別個に処分され得るからである。本発明のこの特徴の利点は、生物学的廃棄物とは別個にバッテリーを環境に優しい形態で処分するおよび再利用することにより、環境的および経済的に有利となり得る点である。本発明のさらなる利点は、デバイスの再利用を防止する本発明の機構が、機械的に単純な、低コストの機構であり、デバイスに組み込まれるバッテリークロージャおよびデバイスに外的に装着されるバッテリークロージャに対して使用され得る点である。
【図面の簡単な説明】
【００１１】
【図１】本明細書で開示するバッテリークロージャを備える物品の一例を示す図である。
【図２】バッテリークロージャが組み立てられる前のバッテリー支持部および対向側バッテリー支持部を示す図である。
【図３】図2のバッテリー支持部のバッテリーバルクヘッドを示す図である。
【図４】バッテリーリード線を無効化するための機構を示す図である。
【図５Ａ】バッテリーリード線を無効化するための代替的な機構を示す図である。
【図５Ｂ】対向側バッテリー支持部の位置に関するユーザの視覚的ガイダンス用の標識を含むバッテリー支持部を示す図である。
【図５Ｃ】対向側バッテリー支持部の位置に関するユーザの視覚的ガイダンス用の標識を含む対向側バッテリー支持部を示す図である。
【図６】静止位置においてバッテリー支持部上に位置決めされた図2の対向側バッテリー支持部を示す図である。
【図７】第1の位置に位置決めされた図2の対向側バッテリー支持部を示す図である。
【図８】第2の位置へと前方に摺動された図2の対向側バッテリー支持部を示す図である。
【図９】対向側バッテリー支持部がバッテリークロージャから取り外された後の、図1の分解されたバッテリークロージャを示す図である。
【図１０】様々な環境条件からバッテリークロージャを保護するためにバッテリークロージャを覆う弾性部材を有するバッテリークロージャを示す図である。
【図１１】係合位置にある対向側バッテリー支持部が後方ロックを有する、バッテリークロージャの代替的な実施形態を示す図である。
【発明を実施するための形態】
【００１２】
本明細書において提示される説明および例示は、開示、その原理、およびその実用的応用を当業者に通知することを意図する。当業者は、ある特定の使用の要件に対して最も適合し得るように、これらの開示を多数の形態において適合化および適用し得る。したがって、明記される本開示の具体的な実施形態は、本開示の包括または限定としては意図されない。したがって、本開示の範囲は、上述の説明を参照とせずに決定されるべきであり、添付の特許請求の範囲を参照として、かかる特許請求の範囲を認められる均等物の全範囲とともに決定されるべきである。特許出願および特許公開を含むすべての論文および参考文献の開示が、事実上参照により組み込まれる。また、以下の特許請求の範囲から見出されるような他の組合せが可能であり、それらもまた、ここに参照により本明細書内に組み込まれる。
【００１３】
本開示は、使い捨て医療デバイスなどのデバイスおよび他のデバイスにエネルギーを供給する破壊式バッテリークロージャを提供する。使い捨て医療デバイスは、例えば、扁桃腺およびアデノイドのデブリーダなどの電気外科用デブリーダなどであってもよい。好ましくは、デバイスは、手持ち式部分を有し、電力が、1つまたは複数のバッテリーによりデバイスの機能部分に対して供給される。より好ましくは、デバイスは、軽量の可搬手持ち式デバイスである。デバイスは、ハウジング、ハンドル、電動要素、モータ、発光ダイオード(LED)、回路、ライト、バッテリークロージャ内の1つまたは複数のバッテリーにより電力供給されるハウジング内のモータ、モータリード線、発光ダイオード作動ライト、デバイスからコンソールなどの機能システムに通じる外部ケーブル、吸引ポート、吸引用ホース、吸引先端部、回転ノーズコーン、外部チューブ内に配置された回転内刃、シェーバ刃、および1つまたは複数の電極等を備えてもよい。
【００１４】
バッテリークロージャは、デバイスのハウジング内において、モータ、LED、回路、およびライト等の電動要素に電気エネルギーを供給するバッテリーを保持、固定、および保護する。バッテリークロージャは、任意のサイズ、形状、構成、またはそれらの組合せを有するものであってもよい。バッテリークロージャは、デバイス用のバッテリークロージャにおいて通常使用される低導電性を有する任意の材料から作製されてもよい。また、好ましくは、この材料は、軽量である。より好ましくは、この材料は、例えば苛性流体、放射線、蒸気、可変温度、真空、および/または乱暴な取扱いなどの、本発明において使用されるデバイスがさらされ得る様々な環境条件に耐える。好ましい材料は、アクリロニトリルブタジエンスチレン(ABS)、ポリカーボネート(PC)、またはABSおよびPCの混合物、ポリオレフィン、ポリスチレン、およびそれらの混合物である。バッテリークロージャは、外部露出からのさらなる保護のためにバッテリークロージャを覆って施され得る弾性部材をさらに含んでもよい。また、バッテリークロージャは、流体からバッテリークロージャを防ぐために、飛沫防止シールを含んでもよい。バッテリークロージャは、外部ケーブルに装着および/または配線されるなど、ハウジングの外部に配置されてもよく、あるいは、ハウジングの内部に配置されてもよい。バッテリークロージャは、ハウジングからバッテリークロージャに通じる外部ケーブルに装着および/または配線されてもよい。好ましくは、デバイスが、医療デバイスである場合には、バッテリークロージャは、患者の周囲の無菌環境を維持するために、医療デバイスから離れるようにある距離をおいて外部ケーブルに装着される。バッテリークロージャは、バッテリー支持部、対向側バッテリー支持部、1つまたは複数のバッテリー、およびバッテリーリード線等を備える。バッテリー支持部、対向側バッテリー支持部、または対向側バッテリー支持部のハンドル等のバッテリークロージャの様々なパーツが、バッテリークロージャの位置の視覚的確認をユーザに与えるために、「オン」矢印、「オフ」矢印などの標識等を含んでもよい。バッテリークロージャは、バッテリー支持部および対向側バッテリー支持部を分離することにより分解され得る。バッテリーリード線が無効化されるおよび/またはバッテリークロージャが分離されると、バッテリークロージャは、バッテリーリード線を経由してバッテリーからデバイスに電気を伝達する機能をもはや果たさず、対向側バッテリークロージャが取り外された後の電気接続を不可能にする。
【００１５】
バッテリー支持部は、バッテリーを保護および支持し、バッテリーリード線を有するバッテリーバルクヘッドを収容する。バッテリー支持部は、バッテリー支持部が、バッテリークロージャを形成することが可能となり、1つまたは複数のバッテリーを有する対向側バッテリー支持部を収容し、バッテリーリード線を収容することが可能となるような、任意のサイズ、形状、構成、またはそれらの組合せを有してもよい。バッテリー支持部は、バッテリー支持部において通常使用される低導電性を有する任意の材料から作製されてもよい。また、好ましくは、この材料は、軽量である。より好ましくは、この材料は、例えば苛性流体、放射線、蒸気、可変温度、真空、および/または乱暴な取扱いなどの、本発明において使用されるデバイスがさらされ得る様々な環境条件に耐える。バッテリー支持部は、ハウジングからバッテリークロージャに通じる外部ケーブルに接続および/または配線されてもよい。バッテリー支持部は、コンソールに通じる追加のケーブルに接続および/または配線されてもよい。好ましくは、バッテリー支持部は、対向側バッテリー支持部にバッテリー支持部を連結することによりユーザがバッテリークロージャを組み立てた場合に、バッテリークロージャがバッテリーを外すおよび解放することがないように、バッテリー支持部内への対向側バッテリー支持部のしっかりした嵌着を確保するための機構を有する。この機構は、対向側バッテリー支持部上の対応する部材内にスナップ固定、摺入、掛止、ラッチ固定、または装着等する少なくとも1つの部材を備えることが可能である。バッテリー支持部内への対向側バッテリー支持部のしっかりした嵌着を確保するための好ましい機構は、スナップ固定および摺入である。バッテリー支持部は、バッテリーバルクヘッドの第1のバッテリーバルクヘッド接合部材に対応する部材をさらに備えてもよい。これらの部材は、第1のバッテリーバルクヘッド接合部材を有することにより、バッテリーバルクヘッドのバッテリー支持部への結合を確保するような、任意のサイズ、形状、構成、またはそれらの組合せを有してもよい。好ましくは、これらの部材は、ソケットおよび/またはスロットである。バッテリー支持部は、バッテリーリード線を無効化するための機構をさらに含んでもよい。ユーザが、バッテリーリード線を無効化すると、電気エネルギーは、バッテリーとデバイスとの間で伝達されることがもはや不可能となる。より好ましくは、バッテリー支持部および/または対向側バッテリー支持部は、ユーザがバッテリークロージャから対向側バッテリー支持部を取り外した場合に、バッテリーリード線を切断し得るバルクヘッド内の刃などの、バッテリー支持部からバッテリーリード線を切断するための機構を含んでもよい。代替的には、この機構は、好ましくは対向側バッテリー支持部内の少なくとも1つのピンを有する少なくとも1つのアームと、その少なくとも1つのピンに係合するバッテリー支持部の少なくとも1つの側壁部中の少なくとも1つのトラックとから構成される、バッテリー支持部内のバッテリーリード線を切断することとなる対向側バッテリー支持部の対応する部材に係合する部材を備えてもよい。バッテリーリード線は、切断されることに���り無効化され、バッテリーバルクヘッドは、少なくとも1つのアームによりバッテリー支持部から取り外される。
【００１６】
バッテリーバルクヘッドは、バッテリーリード線を保持し、バッテリーリード線とのバッテリー接触子の接触をもたらす。バッテリーバルクヘッドは、この機能を果たす任意の構造体であってもよい。バッテリーバルクヘッドは、バッテリーバルクヘッドがバッテリークロージャ内に嵌着しバッテリーリード線を収容するような、任意のサイズ、形状、構成、またはそれらの組合せを有してもよい。バッテリーバルクヘッドは、プラスチックなどの、バッテリーバルクヘッドにおいて典型的に使用される低導電性を有する任意の材料から作製される。また、好ましくは、この材料は、軽量である。バッテリーバルクヘッドは、バッテリー支持部に、および代替的にはバッテリーバルクヘッド接合部材により対向側バッテリー支持部に装着されてもよい。好ましくは、第1のバッテリーバルクヘッド接合部材が、バッテリー支持部にバッテリーバルクヘッドを装着し、第2のバッテリーバルクヘッド接合部材が、対向側バッテリー支持部にバッテリーバルクヘッドを装着する。バッテリーバルクヘッドは、バッテリーバルクヘッド接合部材を含んでもよい。バッテリーバルクヘッド接合部材は、この機能を果たす任意の構造体であることが可能である。バッテリーバルクヘッド接合部材は、任意のサイズ、形状、構成、またはそれらの組合せを有してもよい。好ましくは、第1のバッテリーバルクヘッド接合部材は、バッテリー支持部中のソケットなどの対応する部材内に嵌着するバルクヘッドの底部上の支柱セットである、および/または、バッテリー支持部の内方側部上のスロットなどの対応する部材内に嵌着するバルクヘッドの側部上の一対の側方耳部である。バッテリーバルクヘッドは、対向側バッテリー支持部が第1の位置にある場合には、第1のバッテリーバルクヘッド接合部材によりバッテリー支持部に係合された状態に留まり、バッテリーバルクヘッドは、対向側バッテリー支持部が第2の位置にある場合には、第2のバッテリーバルクヘッド接合部材と接触状態に維持され、第1のバッテリーバルクヘッド接合部材との接触から解除される。バッテリーバルクヘッドは、ユーザがバッテリークロージャを分解する場合に、バッテリー支持部からバッテリーバルクヘッドを取り外す役割を果たすアンダーカットを有してもよい。バッテリーバルクヘッドは、一定の出力電圧レベルを維持するように設計された電源レギュレータをさらに含んでもよい。電源レギュレータは、任意のサイズ、形状、構成、またはそれらの組合せであってもよい。電源レギュレータは、バッテリー支持部の前方エッジに対面するバルクヘッド上に配置されてもよい。バッテリーバルクヘッドは、バッテリーリード線を無効化および切断するための刃を含んでもよい。バッテリーバルクヘッドは、バッテリー支持部内に配置される。好ましくは、バッテリーバルクヘッドは、対向側バッテリー支持部のバッテリーコンパートメントが挿入される空間とバッテリー支持部の前方エッジとの間のバッテリー支持部の前方部分内に配置される。バッテリーバルクヘッドは、対向側バッテリー支持部が第1の位置にある場合には、バッテリー支持部に装着される。好ましくは、バッテリーリード線を保持するバッテリーバルクヘッドは、対向側バッテリー支持部が第1���位置にある場合に、少なくとも1つのバッテリーバルクヘッド接合部材によりバッテリー支持部に装着される。バッテリーバルクヘッドは、対向側バッテリー支持部が第2の位置にある場合には、バッテリー支持部に装着されず、少なくとも1つの第2のバッテリーバルクヘッド接合部材により対向側バッテリー支持部に結合される。
【００１７】
バッテリーリード線は、バッテリーとデバイスとの間に電気エネルギー伝達をもたらす。バッテリーリード線は、任意のサイズ、形状、構成、またはそれらの組合せを有してもよい。バッテリーリード線は、バッテリーリード線において典型的に使用される任意の材料から作製される。好ましくは、バッテリーリード線は、バッテリー接触子からデバイスに電気エネルギーを伝達し得る材料から作製される。好ましくは、バッテリーリード線は、可撓性および耐腐食性を有し、ウェット適用が可能である。バッテリーリード線は、複数のセクションを有してもよい。好ましくは、バッテリーリード線は、第1のセクション、第2のセクション、および中間セクションを有する。より好ましくは、バッテリーリード線の第1のセクションは、バッテリー支持部に装着され、バッテリーリード線の第2のセクションは、バルクヘッドに装着され、バッテリーリード線の中間セクションは、第1のセクションと第2のセクションとの間に位置する。好ましくは、バッテリーリード線の第2のセクションは、バッテリーバルクヘッド内に物理的に捕捉される。好ましくは、バッテリーリード線は、ユーザがバッテリークロージャから対向側バッテリー支持部を取り外す場合に、バッテリーリード線が無効化および/または切断されるように、バッテリー支持部および/またはバッテリーバルクヘッドに装着される。一実施形態においては、中間セクションは、はんだ接合部などの脆弱セクションを含み、これは、ユーザがバッテリークロージャから対向側バッテリー支持部を取り外す場合に破断して、バッテリーリード線を無効化および/または切断する。バッテリーリード線は、バッテリー接触子と直接接触状態にあってもよい。バッテリーリード線は、バッテリーリード線を経由したバッテリー接触子からデバイスへの送電を防止する作動タブと直接接触状態にあってもよい。バッテリーリード線は、作動タブおよび/またはバッテリー接触子と接触状態にバッテリーリード線をおく1つまたは複数の端子を有してもよい。バッテリーリード線は、バッテリー接触子および/または作動タブに対して端子を有するまたは有さないバッテリーリード線を付勢する1つまたは複数のばね式部材にさらに装着されてもよい。
【００１８】
1つまたは複数の端子は、バッテリー接触子にバッテリーリード線を接触状態におく。これらの端子は、任意のサイズ、形状、構成、またはそれらの組合せを有してもよい。バッテリー端子は、端子において典型的に使用される任意の導電性材料から作製されてもよい。端子は、バッテリーリード線に装着される。好ましくは、端子は、バッテリーリード線にはんだ付けされる。端子は、作動タブおよび/またはバッテリー接触子に対して端子を付勢する1つまたは複数のばね式部材にさらに装着されてもよい。一実施形態においては、端子は、1つまたは複数のばね式部材に装着され、端子とバッテリー接触子との間の距離は、対向側バッテリー支持部が第1の位置にある場合には、第2の位置にある場合と異なり、この距離は、対向側バッテリー支持部が第1の位置にある場合には、より大きくなる。端子は、作動タブがユーザにより取り外されるまでは、1つまたは複数の作動タブと接触状態にあってもよい。ユーザが、作動タブを取り外した後には、端子は、バッテリー接触子と接触状態にあり、バッテリーからバッテリーリード線への電気エネルギーの伝達を可能にする。
【００１９】
1つまたは複数のばね式部材は、バッテリー接触子とバッテリーリード線との間の電気的接触を防止する作動タブに当接した状態に端子を保持して、ユーザが作動タブを取り外すまで作動タブがその位置に留まるのを確保する。さらに、ばね式部材は、作動タブが取り外されると、バッテリー接触子まで端子を駆動する。一実施形態においては、ばね式部材は、1つまたは複数の端子と1つまたは複数のバッテリー接触子との間に1つまたは複数の作動タブを保持することにより、対向側バッテリー支持部が第1の位置または第2の位置に位置する場合に、作動タブを定位置に維持してもよい。ばね式部材は、この機能を果たす任意の構造体であってもよい。ばね式部材は、任意のサイズ、形状、構成、またはそれらの組合せを有してもよい。ばね式部材は、ばね式部材において典型的に使用される、付勢可能な任意の導電性材料または非導電性材料から作製されてもよい。ばね式部材は、端子、バッテリーリード線、バルクヘッド、またはそれらの組合せに装着されてもよい。導電性ばね式部材または非導電性ばね式部材は、バッテリーバルクヘッドと端子との間に、またはバッテリーバルクヘッドとバッテリー接触子との間に配置される。
【００２０】
対向側バッテリー支持部は、1つまたは複数のバッテリーを保護および収容し、環境からバッテリークロージャを絶縁する。対向側バッテリー支持部は、ユーザがバッテリー支持部上に対向側バッテリー支持部を設置した場合に、バッテリークロージャがしっかりと包囲され得るような、任意のサイズ、形状、構成、またはそれらの組合せを有してもよい。対向側バッテリー支持部の頂部は、頂部が平坦になり得るようなまたはハンドルなどの付属品を含み得るような、任意のサイズ、形状、構成、またはそれらの組合せであってもよい。対向側バッテリー支持部は、プラスチックなどの対向側バッテリー支持部において典型的に使用される高誘電率を有する任意の材料から作製されてもよい。また、好ましくは、この材料は、軽量である。より好ましくは、この材料は、例えば苛性流体、放射線、蒸気、可変温度、真空、および/または乱暴な取扱いなどの、本発明において使用されるデバイスがさらされ得る様々な環境条件に耐える。好ましくは、対向側バッテリー支持部は、ユーザが対向側バッテリー支持部にバッテリー支持部を連結することによりバッテリークロージャを組み立てた場合に、バッテリークロージャが分解されず、バッテリーを解放しないように、バッテリー支持部内への対向側バッテリー支持部のしっかりした嵌着を確保するための機構を有する。この機構は、面取りされたボスに対する摩擦嵌めなど、バッテリー支持部上の対応する部材内にスナップ固定、摺入、掛止、ラッチ固定、または装着等する少なくとも1つの部材を備えることが可能である。対向側バッテリー支持部は、複数の異なる位置においてバッテリー支持部上に設置されてもよい。好ましくは、対向側バッテリー支持部は、バッテリー支持部上に設置された場合に、3つの異なる位置、すなわち静止位置、第1の位置、および第2の位置に位置し得る。静止位置に対向側バッテリー支持部を配置するために、ユーザは、バッテリー支持部内に対向側バッテリー支持部を連結することなく、バッテリー支持部の頂部に対向側バッテリー支持部を配置する。第1の位置に対向側バッテリー支持部を配置するために、ユーザは、バッテリー支持部に対向側バッテリー支持部をしっかりと連結する。好ましくは、ユーザが、第1の位置においてバッテリー支持部内に対向側バッテリー支持部をスナップ固定、摺入、掛止、ラッチ固定、または装着等することによりしっかりした嵌着を確保するための機構を作動させる。第2の位置に対向側支持部を配置するために、ユーザは、バッテリー接触子とバッテリーリード線またはバッテリーリード線の端子との間の接触を確立する。好ましくは、ユーザは、対向側バッテリー支持部を前方に摺動させるおよび/または作動タブを取り外すことにより、あるいは対向側バッテリー支持部を前方に摺動させてバッテリー端子とバッテリー接触子との間の隙間を解消することにより、接触を確立することが可能である。対向側バッテリー支持部は、第1の位置から第2の位置への対向側バッテリー支持部の移動を容易にするために、ならびに対向側バッテリー支持部の取外しによるバッテリーリード線の無効化およびバッテリークロージャの分解を容易化するために、組み立てられた場合に対向側バッテリー支持部および/ま��はバッテリークロージャを担持するためのハンドルを、対向側バッテリー支持部の頂部にさらに含んでもよい。好ましくは、ユーザが、ハンドルを上方に引くことにより対向側バッテリー支持部を引いてもよい。より好ましくは、ユーザは、バッテリー支持部による、第1の位置または第2の位置のいずれかにおいて一度結合されたバッテリークロージャからの対向側バッテリー支持部の機械的解放が、可能となるようないずれかの位置に、バッテリー支持部が位置する場合に、対向側バッテリー支持部を引いてもよい。ハンドルは、任意のサイズ、形状、構成、またはそれらの組合せを有してもよい。ハンドルは、プラスチックなどのバッテリークロージャ用のハンドルにおいて典型的に使用される低導電性を有する任意の材料から作製されてもよい。また、好ましくは、材料は、軽量である。対向側バッテリー支持部は、デバイスが初期位置または係合位置においてユーザに発送される前に挿入される1つまたは複数のバッテリー用のコンパートメントをさらに含んでもよく、または、ユーザが、対向側バッテリー支持部にバッテリーを固定してもよい。バッテリーのしっかりした配置により、バッテリークロージャ内における1つまたは複数のバッテリーの交換が防止される。バッテリーを固定する好ましい方法は、対向側バッテリー支持部のバッテリーコンパートメント内へのバッテリーのスナップ嵌めである。対向側バッテリー支持部は、作動タブをさらに含んでもよい。ユーザは、作動タブを取り外すことによりバッテリーリード線とバッテリー接触子との間の接触を確立することが可能である。代替的には、作動タブは、なくてもよく、バッテリーリード線とバッテリー接触子との間の接触は、第2の位置に対向側バッテリー支持部を設置することにより確立されてもよい。好ましくは、ユーザは、対向側バッテリー支持部が第2の位置に置かれると、対向側バッテリー支持部を後方に摺動させることが不可能となり、したがって対向側バッテリー支持部内における1つまたは複数のバッテリーの交換が防止され、デバイスのただ一回の使用が強制される。バッテリークロージャが、組み立てられると、および好ましくはユーザが、デバイスを使用すると、ユーザは、バッテリーリード線を無効化し得る。好ましくは、ユーザは、結合されたバッテリーバルクヘッドとともに対向側バッテリー支持部を取り外すことにより、バッテリーリード線を無効化する。バッテリーバルクヘッドは、ユーザが第2の位置へと対向側バッテリー支持部を移動させた後には、対向側バッテリー支持部に結合される。好ましくは、対向側バッテリー支持部は、対向側バッテリー支持部にバッテリーバルクヘッドを装着する第2のバッテリー接合部材を含む。第2のバッテリーバルクヘッド接合部材は、この機能を果たす任意の構造体であってもよい。第2のバッテリーバルクヘッド接合部材は、第2のバッテリーバルクヘッド接合部材が第1のバッテリーバルクヘッド接合部材を押さえつけることによりバッテリー支持部にバッテリーバルクヘッドを装着させるような、任意のサイズ、形状、構成、またはそれらの組合せであってもよい。好ましくは、第2のバッテリーバルクヘッド接合部材は、少なくとも1つのアームである。
【００２１】
より好ましくは、ユーザは、結合されたバッテリーバルクヘッドとともに対向側バッテリー支持部を取り外すことにより、バッテリーリード線を切断し得る。例えば、ユーザは、バッテリークロージャから対向側バッテリー支持部を引き上げる、引っ張る、追いやる、切断する、スナップ解除する、掛止解除する、装着解除する、または摺動させる等により、対向側バッテリー支持部を取り外し得る。より好ましくは、ユーザは、バッテリー支持部の前方エッジを越えて延在する対向側バッテリー支持部の前方エッジを上方にこじ開けることにより対向側バッテリー支持部を取り外すことによって、バッテリーリード線を無効化および/または切断する。対向側バッテリー支持部は、第2の位置にある対向側バッテリー支持部の後方側部に装着されたロックをさらに含んでもよく、このロックにより、ユーザは、バッテリークロージャの前方側部からのみ対向側バッテリー支持部を引っ張ることが可能となる。
【００２２】
1つまたは複数のバッテリーは、デバイスに、特にデバイスのモータに、電気エネルギーを供給する。1つまたは複数のバッテリーは、対向側バッテリー支持部のバッテリーコンパートメント内にしっかりと嵌着し、デバイスに十分な量のエネルギーを供給するような、任意のサイズ、形状、構成、またはそれらの組合せであってもよい。1つまたは複数のバッテリーは、円形、非円形、平形、または正方形などの任意の形状であってもよい。1つまたは複数のバッテリーは、亜鉛-炭素、亜鉛-塩素、亜鉛-マグネシウム、オキシ水酸化ニッケル、ニッケル-カドミウム、ニッケル-亜鉛、もしくはリチウム等の様々な金属、炭素、またはポリマーなどの、デバイスのバッテリーにおいて典型的に使用される任意の材料から作製されてもよい。1つまたは複数のバッテリーは、単四バッテリー、単三バッテリー、9ボルトバッテリー、4.5ボルトバッテリー、単一バッテリー、および単二バッテリー等の、デバイスにおいて典型的に使用される任意のタイプのものであってもよい。1つまたは複数のバッテリーは、充電式および/または非交換式のものであってもよい。好ましくは、1つまたは複数のバッテリーは、使い捨て式である。好ましくは、1つまたは複数のバッテリーは、再利用可能なものである。好ましくは、1つまたは複数のバッテリーは、9ボルトアルカリバッテリーである。1つまたは複数のバッテリーは、バッテリークロージャ内に配置される。好ましくは、1つまたは複数のバッテリーは、対向側バッテリー支持部内に配置される。より好ましくは、1つまたは複数のバッテリーは、対向側バッテリー支持部内のバッテリーコンパートメント内にしっかりと配置される。バッテリーは、バッテリークロージャ内のバッテリーコンパートメントの位置に応じて複数の位置に位置し得る。好ましくは、第1の位置においては、バッテリー接触子は、バッテリーリード線および/または端子と接触状態にない。好ましくは、第2の位置において、バッテリー接触子は、バッテリーリード線および/または端子と接触状態にあり、電気は、バッテリーからデバイスに伝送されている。ユーザが、バッテリー接触子とバッテリーリード線および/または端子との間に挿入された状態に作動タブを維持することにより、バッテリー接触子からバッテリーリード線および/または端子を経由したデバイスへの送電を防止してもよい。ユーザは、第1の位置から第2の位置に対向側バッテリー支持部を移動させることにより、1つまたは複数のバッテリーおよびバッテリーリード線を係合させる。代替的には、または第2の位置に対向側バッテリー支持部を移動させることに加えて、ユーザが、作動タブを取り外すことにより、バッテリー接触子とバッテリーリード線との間の接触を確立することが可能である。対向側バッテリー支持部が、第2の位置にくると、ユーザは、バッテリーの交換を妨げられる。ユーザが、バッテリーリード線を無効化し、対向側バッテリー支持部を取り外し、バッテリーリード線が、切断されると、取り外された対向側バッテリー支持部は、1つまたは複数のバッテリーと、切断されたバッテリーリード線を有するバッテリーバルクヘッドとを含み、故に、ユーザは、デバイスとは別個にバッテリーを安全に処分することが可能となる。
【００２３】
作動タブは、バッテリー接触子とのバッテリーの接触を防止し、したがって、デバイスの有効期間を延ばす。作動タブは、この機能を果たす任意のものであることが可能である。作動タブは、ユーザが、少なくとも1つの作動タブを取り外すことによりバッテリーリード線と1つまたは複数のバッテリー接触子との間に電気接触をもたらすことが可能となるような、任意のサイズ、形状、構成、またはそれらの組合せを有してもよい。作動タブは、作動タブにおいて典型的に使用される高誘電率を有する任意の絶縁体材料から作製されてもよい。作動タブは、透明プラスチックであってもよい。作動タブは、バッテリー支持部、対向側バッテリー支持部、またはそれらの両方の一部であってもよい。好ましくは、作動タブは、ユーザが、バッテリー接触子とバッテリーリード線との間の接触を確立することを欲する場合に、作動タブを引くことが可能となるように、バッテリー接触子とバッテリーリード線との間に配置される。作動タブは、1つまたは複数のばね式部材により付勢されることになるバッテリーリード線に装着された1つまたは複数の端子間に配置されてもよく、これにより、ユーザが作動タブを取り外すまでは、作動タブが定位置に維持される。好ましくは、作動タブは、ユーザが作動タブを引っ張ることにより作動タブを取り外すことが可能になるように、対向側バッテリー支持部の頂部部分の開口から突出することになる。好ましい一実施形態においては、ハウジングは、作動タブの取外し時に点灯することにより、端子を有するまたは有さないバッテリーリード線とバッテリー接触子との間の接触が確立されたことをユーザに合図する、LED作動ライトを含んでもよい。
【００２４】
バッテリーリード線を無効化する機構は、バッテリーからデバイスへの電気エネルギー供給を防止し、したがって、デバイスのただ一回の使用を強制する。この機構は、この機能を果たす任意のものであってもよい。この機構は、任意のサイズ、形状、構成、またはそれらの組合せを有してもよい。この機構は、金属、プラスチック、またはエンジニアードセラミックス等の任意の絶縁材料から作製されてもよい。この機構は、バッテリー支持部、対向側バッテリー支持部、またはそれらの両方内に配置されてもよい。この機構は、バッテリーリード線にはんだ付けされた圧着端子、バッテリーバルクヘッドとバッテリー支持部とバッテリーリード線との間の脆弱はんだ接合部、1つまたは複数のプレカット繊維を有する多芯導線、バッテリーリード線の刻み目部分もしくは他の方法で脆弱化された部分等、またはそれらの組合せを含んでもよい。好ましくは、この機構は、バッテリーバルクヘッド、バッテリーバルクヘッド接合部材、バッテリーバルクヘッドアンダーカット、対向側バッテリー支持部内に位置する少なくとも1つのアーム、トラック-ピン機構、バルクヘッド内の刃、または第2の位置から第1の位置への対向側バッテリー支持部の移動を防止する返し等を備えてもよい。一実施形態においては、この機構は、バッテリー支持部の少なくとも1つの側部上に位置する少なくとも1つのピンのための少なくとも1つのトラックに結合された対向側バッテリー支持部内に位置する少なくとも1つのピンを含む少なくとも1つのアームから構成されるピン-トラック機構であってもよい。さらに別の実施形態においては、この機構は、バッテリーバルクヘッド内に位置する刃であってもよい。
【００２５】
少なくとも1つのアームは、バッテリーリード線を無効化する機構の一部としての役割を果たし、したがって、デバイスへの電気エネルギーの供給を防止することによってデバイスのただ一回の使用を強制する。少なくとも1つのアームは、返しを有するまたは有さないことが可能である。アームは、この機能を果たす任意のものであってもよい。アームは、(a)ユーザが第1の位置に対向側バッテリー支持部を置いた場合に、アームがバッテリーバルクヘッド内に係合するような、(b)ユーザが対向側バッテリー支持部を前方に移動させた場合などに、アームが第2の位置においてバッテリーバルクヘッドのアンダーカット内にロックすることにより、対向側バッテリー支持部にバッテリーバルクヘッドを結合するような、および(c)ユーザがバッテリークロージャから対向側バッテリー支持部を取り外した場合に、アームがバッテリー支持部からバッテリーバルクヘッドを引き上げ、それにより、バッテリーリード線が応力を被り、バッテリーリード線が無効化され、最終的にバッテリーリード線が切断されるような、任意のサイズ、形状、構成、またはそれらの組合せを有してもよい。少なくとも1つのアームは、バッテリーバルクヘッドに係合する少なくとも1つの返しを含んでもよく、これにより、第2の位置から第1の位置への対向側バッテリー支持部の移動が防止される。アームは、アームが、バッテリー支持部中に配置されたバッテリーバルクヘッドのアンダーカットに係合し得るように、対向側バッテリー支持部上に配置される。
【００２６】
ピン-トラック機構は、バッテリーリード線を無効化し、したがってデバイスへの電気エネルギーの供給を防止することにより、デバイスのただ一回の使用を強制する代替機構としての役割を果たす。ピン-トラック機構は、この機能を果たす任意のものであってもよい。ピン-トラック機構は、対向側バッテリー支持部中に位置する少なくとも1つのピンを含む少なくとも1つのアームと、バッテリー支持部中の少なくとも1つのピン用の少なくとも1つのトラックとから構成される。好ましくは、少なくとも1つのトラックは、バッテリー支持部の側壁部などの少なくとも1つの壁部中に配置される。ピンを有するアーム、ピン、およびピン用のトラックは、(a)ユーザが静止位置にてバッテリー支持部上に対向側バッテリー支持部を設置した場合に、少なくとも1つのトラックが少なくとも1つのピンに係合するような、(b)ユーザが対向側バッテリー支持部を前方に摺動させた場合になど、ユーザが第1の位置から第2の位置に対向側バッテリー支持部を移動させた場合に、アームがバッテリーバルクヘッドのアンダーカット内に係合し、それにより対向側バッテリー支持部にバッテリーバルクヘッドを結合するような、および(c)ユーザがバッテリークロージャから対向側バッテリー支持部を取り外した場合に、アームがバッテリーバルクヘッドを上方に引き上げ、それにより、バッテリーリード線が応力を被り、バッテリーリード線が無効化され、最終的にバッテリーリード線が切断されるような、任意のサイズ、形状、構成、またはそれらの組合せを有してもよい。少なくとも1つのトラックは、少なくとも1つのピンに係合する少なくとも1つの返しを含んでもよく、これにより、第2の位置から第1の位置への対向側バッテリー支持部の後方移動が防止される。
【００２７】
刃は、バッテリーリード線を無効化し、したがってデバイスへの電気エネルギーの供給を防止することにより、デバイスのただ一回の使用を強制する別の機構としての役割を果たす。刃は、この機能を果たす任意のものであってもよい。刃は、金属またはエンジニアードセラミックス等の、ワイヤを切断する刃において典型的に使用される任意の材料から作製され得る。刃は、ユーザがバッテリークロージャから対向側バッテリー支持部を取り外した場合に、刃がバッテリーリード線を無効化および切断するような、任意のサイズ、形状、構成、またはそれらの組合せを有してもよい。好ましくは、刃は、バッテリーバルクヘッド内に配置される。好ましくは、バッテリーリード線は、刃の1つまたは複数の露出領域の上方に延在する。より好ましくは、刃は、ユーザがバルクヘッドとともに対向側バッテリー支持部を取り外し、これによりバッテリーリード線を横断して刃が上方に引き上げられた場合に、2つの露出領域の上方に延在するバッテリーリード線を無効化および切断する2つの露出領域を有する。
【００２８】
ハウジングは、デバイスを作動させるために使用される作動構成要素を保持、固定、および保護する。ハウジングは、この機能を果たす任意の構造体であることが可能である。ハウジングは、ハウジングが左手、右手、または両手で把持され得るような、任意のサイズ、形状、構成、またはそれらの組合せを有してもよい。好ましくは、ハウジングは、人間工学的形状を有する。ハウジングは、プラスチックまたは金属等の、デバイスのハウジングにおいて通常使用される任意の材料から作製されてもよい。好ましくは、ハウジングは、軽量材料から作製される。好ましくは、ハウジングは、エンジニアリングプラスチックから、より好ましくは、アクリロニトリルブタジエンスチレン(ABS)、ポリカーボネート(PC)、またはABSおよびPCの混合物から作製される。ハウジングは、より良好な把持および快適性のためのエラストマーグリップを有してもよい。ハウジングは、複数のコントローラ、コントローラ機構の様々なパーツ等、またはそれらの組合せをさらに含んでもよい。例えば、ハウジングは、可鍛性内方シェービング刃、カッター、遠位吸引穴/先端部などの種々の端部;発電機からエネルギーが供給される単極電気外科用凝固電極などの電極;吸引連結部または潅注連結部などの種々のタイプの連結部;バッテリーリード線とバッテリー接触子との間に接触が確立されたことを点灯されることにより示すLEDライト作動ボタン;モータ、およびモータ電源スイッチを有する、シャフトを含んでもよい。ハウジングは、外部ケーブルによりバッテリークロージャに接続されてもよい。代替的には、ハウジングは、バッテリークロージャを収容してもよい。ハウジングは、例えば発電機または潅注供給源などのコンソールに通じる追加の別個のケーブルを有してもよい。
【００２９】
モータは、電気エネルギーを機械的作用に変換し、デバイスのシャフト上の内刃などのデバイスの種々の機構に動力供給する。好ましくは、モータは、高信頼性を有し、費用対効果が高く、電力効率が良く、軽量であり、静音性であり、高速の動的応答を有する。好ましくは、モータは、例えば苛性流体、放射線、蒸気、可変温度、真空、および/または乱暴な取扱いなどの、本発明において使用されるデバイスがさらされ得る様々な環境条件に耐えることが可能である。好ましくは、モータは、軽量材料から作製される。モータは、プラスチック構成要素、金属構成要素、および/またはエンジニアードセラミックス構成要素を含むことが可能である。モータは、コアレスモータであることが可能であり、または鉄心を有することが可能である。好ましくは、モータは、直流(DC)モータである。DCモータは、ブラシレスタイプモータ、または貴金属ブラシシステムもしくは炭素ブラシシステム等を有するブラシタイプのモータであることが可能である。バッテリークロージャ内の1つまたは複数のバッテリーは、モータに電気エネルギーを供給する。
【００３０】
好ましい一実施形態においては、ハウジングは、バッテリーリード線とバッテリー接触子との間で接触が確立され、電気エネルギーがデバイスのモータに供給されていることを、点灯されることにより示すLED作動ライトを含んでもよい。LED作動ライトは、この機能を果たす任意のものであることが可能である。LED作動ライトは、任意のサイズ、形状、タイプ、構成、またはそれらの組合せを有してもよい。LED作動ライトは、ハウジング内またはハウジング上の任意の位置に配置され得る。好ましくは、LED作動ライトは、ユーザが、デバイスを保持および作動させている際にLED作動ライトを見ることができ、光の点灯時に通知されるように、ハウジング上に配置される。
【００３１】
ハウジングは、外部ケーブルによりバッテリークロージャに接続されてもよい。外部ケーブルは、バッテリークロージャからハウジングに電力を伝達する。このケーブルは、任意のサイズ、材料、形状、タイプ、構成、またはそれらの組合せを有してもよい。好ましくは、電力ケーブルは、患者の周囲の無菌環境を維持するなど、作業場からバッテリークロージャを離しておくオプションをユーザに与えつつ、ハウジングにバッテリークロージャを接続するのに十分な長さを有する。ケーブルは、銅、アルミニウム、または固体導体を使用してもよい。ケーブルは絶縁される。好ましくは、ケーブルは、巻かれ得るおよび繰り返し移動され得るように可撓性を有する。好ましくは、ケーブルは、バッテリークロージャに配線される。ケーブルは、吸引チューブがユーザの邪魔にならない位置に安全に保持されるのを可能にする、吸引ホースクリップなどの付属品を含んでもよい。ケーブルは、モータリード線および/または高周波リード線を含んでもよい。ケーブルは、バッテリークロージャから発電機または潅注デバイスなどのコンソールに通じる延長部を有してもよい。ケーブルは、ユニバーサル単極プラグなどの、発電機に連結するためのプラグを含んでもよい。
【００３２】
本発明を作動させるためには、ユーザが、対向側バッテリー支持部内に1つまたは複数のバッテリーを挿入し、その後バッテリー支持部内に第1の位置および第2の位置にて対向側バッテリー支持部を配置することにより、破壊式バッテリークロージャを組み立てることが可能である。代替的には、バッテリーは、バッテリー支持部内に挿入されてもよい。ユーザは、バッテリー支持部内への対向側バッテリー支持部のスナップ固定、爪止め、ラッチ固定、または摺入等の、バッテリー支持部内への対向側バッテリー支持部のしっかりした嵌着を確保するための機構を作動させることにより、適切な閉鎖を確保することが可能である。代替的には、ユーザは、第1の位置または第2の位置において対向側バッテリー支持部内に固定された、事前組立された破壊式バッテリークロージャバッテリーを受領してもよい。クロージャが組み立てられると、ユーザは、第2の位置にデバイスを設置するおよび/または作動タブを取り外すことにより、バッテリーからデバイスへの電気の伝達を可能にし得る。ユーザは、デバイスのハウジング上のLED作動インジケータの点灯を見ることにより、バッテリーリード線とバッテリー接触子との間の接触が確立されたか否かを確認することができる。代替的には、ユーザは、バッテリークロージャが第1の位置または第2の位置に位置することを視覚的に確認するために、バッテリー支持部、対向側バッテリー支持部、またはそれらの両方の上の標識に従ってもよい。ユーザが、バッテリーリード線とバッテリー接触子との間の接触を確立すると、ユーザは、バッテリーからデバイスの機能部分への電流の伝達を有効化し、次いでこの機能部分が使用され得る。バッテリークロージャを組み立てるおよび/またはバッテリーとデバイスとの接触を確立する間に、ユーザは、バッテリーリード線を無効化するための機構の複数部分を作動させてもよい。ユーザは、ユーザが第1の位置に対向側バッテリー支持部を設置する場合に、第1のバルクヘッド接合部材によりバッテリー支持部に刃を有するまたは有さないバッテリーバルクヘッドを結合し得る。ユーザは、第1のバッテリーバルクヘッド接合部材から刃を有するまたは有さないバッテリーバルクヘッドを解放し、第2の位置に対向側バッテリー支持部を移動させることにより対向側バッテリー支持部内にバッテリーバルクヘッドを結合し得る。ユーザは、第1の位置においてバッテリーバルクヘッド内に対向側バッテリー支持部の少なくとも1つのアームを係合させてもよい。代替的には、ユーザは、第2の位置においてバッテリー支持部のトラック内に対向側バッテリー支持部のピンを係合させてもよい。ユーザは、バッテリーバルクヘッドに少なくとも1つのアーム上の少なくとも1つの返しを係合させることにより、第2の位置から第1の位置への対向側バッテリー支持部の移動を防止し得る。代替的には、ユーザは、対向側バッテリー支持部上の少なくとも1つのピンに少なくとも1つのトラック上の少なくとも1つの返しを係合させることにより、第2の位置から第1の位置への対向側バッテリー支持部の移動を防止してもよい。ユーザが、デバイスをもはや使用しなくなった後には、ユーザは、バッテリーリード線を無効化し得る。ユーザは、バッテリークロージャから���合されたバッテリーバルクヘッドとともに対向側バッテリー支持部を取り外し、これによりバッテリーリード線を伸張させることにより、バッテリーリード線を無効化し得る。ユーザは、バッテリー支持部から対向側バッテリー支持部または対向側バッテリー支持部の前方部分をこじ開ける、引き上げる、引っ張る、追いやる、切断する、スナップ解除する、掛止解除する、解放する、装着解除する、または摺動させる等により、対向側バッテリー支持部を取り外してもよい。ユーザは、バッテリークロージャから結合されたバッテリーバルクヘッドとともに対向側バッテリー支持部を取り外すことにより、バッテリークロージャを分解してもよく、これにより、バッテリーリード線が切断される。ユーザは、デバイスとは別個に、結合されたバッテリーバルクヘッドおよびバッテリーを有する対向側バッテリー支持部を処分し得る。ユーザは、バッテリーを再利用し得る。
【００３３】
図1は、本明細書における開示のバッテリークロージャ(1)を備える物品の一例を示す。図示するように、使い捨て医療デバイス、すなわちデブリーダ(50)は、モータ(51)(図示せず)と、回転ノーズコーン(56)と、刃を有する外部チューブ(57)と、吸引ポート(58)と、LED作動ライト(53)とを含む、ハウジング(52)を備える。対向側バッテリー支持部(3)およびバッテリー支持部(2)を備えるバッテリークロージャ(1)が、外部ケーブル(54)によりデバイス(50)に装着される。プラグ(55)が、バッテリークロージャ(1)から外部機能システムに延在するケーブルに装着される。バッテリークロージャ(1)は、デバイス(50)のモータ(51)(図示せず)に電気エネルギーを供給する。
【００３４】
図2は、バッテリークロージャ(1)が組み立てられる前の、バッテリー支持部(2)および対向側バッテリー支持部(3)を示す。図示するように、バッテリー支持部(2)は、バッテリーバルクヘッド(22)およびバッテリーリード線(5)を備える。バッテリーリード線(5)は、バッテリー支持部に装着された第1のセクション(14)と、バッテリーバルクヘッドに装着された第2のセクション(15)と、第1のセクション(14)と第2のセクション(15)との間に位置するはんだ接合部(24)を含む中間セクション(16)とを含む。ばね式部材(9)が、バッテリーバルクヘッド(22)に、そして端子(10)に装着される。対向側バッテリー支持部(3)は、バッテリー接触子(6)と、ユーザが第2の位置に対向側バッテリー支持部(3)を移動する場合に第2のバッテリーバルクヘッド接合部材(32)を切断することにより対向側バッテリー支持部(3)にバッテリーバルクヘッド(22)を装着する2つのアーム(25)とを含む、バッテリー(4)を収容するバッテリーコンパートメント(8)を備える。
【００３５】
図3は、図2のバッテリー支持部(2)(図示せず)のバッテリーバルクヘッド(22)を示す。バッテリーバルクヘッド(22)は、バッテリーリード線を無効化するための機構(20)の一部としての役割を果たすアンダーカット(23)を有する。図示するように、ばね式部材(9)が、バッテリーバルクヘッド(22)に、そして端子(10)に装着される。バッテリーバルクヘッドは、対向側バッテリー支持部(3)(図示せず)が第1の位置にある場合に、バッテリー支持部(2)(図示せず)にバッテリーバルクヘッド(22)を装着する第1のバッテリーバルクヘッド接合部材(31)をさらに備える。
【００３６】
図4は、バッテリーリード線を無効化するための機構(20)を示す。図示するように、機構(20)は、対向側バッテリー支持部(3)上に1つのピン(26)を有するアーム(25)を備える。機構(20)は、ピン(26)に係合するために、バッテリー支持部(2)の側壁部(21)上にトラック(27)をさらに備える。トラック(27)は、対向側バッテリー支持部(3)が第2の位置にある場合に、ピン(26)の後方移動を防止する返し(28)をさらに含む。
【００３７】
図5Aは、バッテリーリード線を無効化するための代替的な機構(20)を示す。図示するように、バッテリーバルクヘッド(22)は、刃(29)を含む。刃(29)は、バッテリーリード線(5)が上に延在する2つの露出部分(30)を有する。刃(29)は、ユーザが組み立てられたバッテリークロージャ(1)(図示せず)から結合されたバッテリーバルクヘッド(22)とともにバッテリーカバー(3)(図示せず)を取り外すことにより、バッテリーリード線(5)を横断して刃(29)が上方に引かれる場合に、バッテリーリード線(5)を切断する。
【００３８】
図5Bおよび図5Cは、対向側バッテリー支持部(3)の位置に関するユーザの視覚的案内のための標識(11)を含む、バッテリー支持部(2)および対向側バッテリー支持部(3)を示す。
【００３９】
図6は、静止位置においてバッテリー支持部(2)上に位置決めされた図2の対向側バッテリー支持部(3)を示す。対向側バッテリー支持部(3)は、作動タブ(7)を備え、この作動タブ(7)は、取り外されると、バッテリーリード線(5)(図示せず)とバッテリー接触子(6)(図示せず)との間の接触を可能にする。対向側バッテリー支持部(3)は、2つのプロング(40)をさらに含み、これらは、バッテリー支持部(2)内への対向側バッテリー支持部(3)のしっかりした嵌着を確保するための機構の一部である。
【００４０】
図7は、第1の位置に位置決めされた図2の対向側バッテリー支持部(3)を示す。図示するように、対向側バッテリー支持部(3)は、バッテリー支持部(2)内に完全に挿入される。対向側バッテリー支持部(3)の前方エッジは、バッテリー支持部(2)の前方エッジと同一平面に位置する。
【００４１】
図8は、第2の位置へと前方に移動された図2の対向側バッテリー支持部(3)を示す。図示するように、対向側バッテリー支持部(3)の前方エッジは、バッテリー支持部(2)の前方エッジを越えて延在する。
【００４２】
図9は、結合されたバッテリーバルクヘッド(22)とともに対向側バッテリー支持部(3)がバッテリー支持部(2)から取り外された後の、図1の分解されたバッテリークロージャ(1)を示す。対向側バッテリー支持部(3)は、バッテリー接触子(6)を有するバッテリー(4)と、切断されたバッテリーリード線(5)を有する結合されたバッテリーバルクヘッド(22)とを含む。ばね式部材(9)は、バッテリーバルクヘッド(22)および端子(10)に装着される。バッテリー支持部(2)は、装着されたバッテリー(4)を有する対向側バッテリー支持部(3)とは別個に、医療廃棄物としてデバイス(50)(図示せず)を処分することが可能な状態にある。
【００４３】
図10は、デバイス(50)(図示せず)がさらされ得る様々な環境条件からバッテリークロージャ(1)を保護するためにバッテリークロージャ(1)を覆う弾性部材(13)を有する、バッテリークロージャ(1)を示す。弾性部材(13)は、外部ケーブル(54)に装着される。
【００４４】
図11は、係合位置における対向側バッテリー支持部(3)が後方側部にロック(12)を有する、バッテリークロージャ(1)の代替的な一実施形態を示す。
【００４５】
特許出願および特許公開を含むすべての論文および参考文献の開示が、参照により事実上組み込まれる。組合せを述べるための「〜から本質的になる」という用語は、特定された要素、材料、構成要素、またはステップと、この組合せの基本的かつ新規の特徴に対して実質的に影響を及ぼさないかかる他の要素、材料、構成要素、またはステップとを含むものとする。また、本明細書において要素、材料、構成要素、またはステップの組合せを述べるための「備える」または「含む」という用語の使用は、これらの要素、材料、構成要素、またはステップから本質的になる実施形態を企図したものである。本明細書における「〜であってもよい」という用語の使用は、含まれ「てもよい」任意の記載された属性が、オプションであることを意図する。
【００４６】
複数の要素、材料、構成要素、またはステップが、単一の一体化された要素、材料、構成要素、またはステップにより実現され得る。代替的には、単一の一体化された要素、材料、構成要素、またはステップが、別個の複数の要素、材料、構成要素、またはステップへと分割されてもよい。要素、材料、構成要素、またはステップを記載するための「1つ」という開示は、追加の要素、材料、構成要素、またはステップを除外するようには意図されない。
【００４７】
上述の説明は、例示として意図され、限定としては意図されない点を理解されたい。提示された例以外の多数の実施形態および多数の用途が、上述の説明を読むことにより当業者には自明となろう。したがって、本発明の範囲は、上述の説明を参照として決定されるべきではなく、代わりに添付の特許請求の範囲を参照として、かかる特許請求の範囲を認められる均等物の全範囲とともに決定されるべきである。特許出願および特許公開を含むすべての論文および参考文献の開示が、事実上参照により組み込まれる。本明細書において開示される対象の任意の態様が以下の特許請求の範囲内において省略される場合でも、かかる対象は放棄されず、また、本発明者らが開示された本発明の対象の一部としてかかる対象を見なさないものと解釈されるべきではない。
【符号の説明】
【００４８】
1  バッテリークロージャ
2  バッテリー支持部
3  対向側バッテリー支持部
4  バッテリー
5  バッテリーリード線
6  バッテリー接触子
7  作動タブ
8  バッテリーコンパートメント
9  ばね式部材
10  端子
11  標識
12  ロック
13  弾性部材
14  第1のセクション
15  第2のセクション
16  中間セクション
20  機構
21  側壁部
22  バッテリーバルクヘッド
23  アンダーカット
24  はんだ接合部
25  アーム
26  ピン
27  トラック
28  返し
29  刃
30  露出部分
31  第1のバッテリーバルクヘッド接合部材
32  第2のバッテリーバルクヘッド接合部材
40  プロング
50  デバイス、デブリーダ
51  モータ
52  ハウジング
53  LED作動ライト
54  外部ケーブル
55  プラグ
56  回転ノーズコーン
57  外部チューブ
58  吸引ポート
【図１】
0005855797.tif 000002
【図２】
0005855797.tif 000003
【図３】
0005855797.tif 000004
【図４】
0005855797.tif 000005
【図５Ａ】
0005855797.tif 000006
【図５Ｂ】
0005855797.tif 000007
【図５Ｃ】
0005855797.tif 000008
【図６】
0005855797.tif 000009
【図７】
0005855797.tif 000010
【図８】
0005855797.tif 000011
【図９】
0005855797.tif 000012
【図１０】
0005855797.tif 000013
【図１１】
0005855797.tif 000014